(57)【特許請求の範囲】
【請求項１】
上部に開口部を形成する有底筒状の下地側支持部材に、横外側に延出するフランジ部を設けると共に、底部に取付下地への固定部を備え、
前記開口部及び前記フランジ部を上方から覆う蓋状の設置物支持部材を設け、
前記フランジ部の外縁に下方に垂下する第１周壁部を連設して上下方向に沿った第１縦壁部を形成すると共に、
前記フランジ部を前記設置物支持部材で上方から覆った状態で、前記第１周壁部の外側を囲繞する第２周壁部を前記設置物支持部材の外縁部に連設してその第２周壁部に上下方向に沿った第２縦壁部を形成し、
前記第１縦壁部と前記第２縦壁部とに両支持部材連結ボルトに対する挿通孔を備えて、互いに連結自在な連結部を形成し、
設置物に対する連結用ボルトの頭部を係入自在なボルト挿通部を前記設置物支持部材に設け、
前記ボルト挿通部の下面に樋状の雨水誘導ガイド部を一体に設けると共に、前記雨水誘導ガイド部の排水側端部が、前記第２周壁部に形成した排水口に接続して、前記雨水誘導ガイド部によって、前記ボルト挿通部を通して侵入する雨水を受けて前記設置物支持部材の横外方に排出するように設けてある設置物固定具。
【請求項２】
上部に開口部を形成する有底筒状の下地側支持部材を設けると共に、前記開口部を上方から覆う蓋状の設置物支持部材を設け、
前記下地側支持部材の横外側の第1縦壁部において前記開口部よりも低い位置に周方向にわたって延出するフランジ部を設けると共に、前記下地側支持部材の底部に取付下地への固定部を備え、
前記開口部及び前記第１縦壁部を前記設置物支持部材で上方から覆った状態で、前記フランジ部と連結自在な連結部を、前記設置物支持部材の外周部における第２縦壁部に連設する第２横壁部に設け、
設置物に対する連結用ボルトの頭部を係入自在なボルト挿通部を前記設置物支持部材に設け、
前記ボルト挿通部の下面に樋状の雨水誘導ガイド部を一体に設けると共に、前記雨水誘導ガイド部の排水側端部が、前記設置物支持部材の前記第２縦壁部に形成した排水口に接続して、前記雨水誘導ガイド部によって、前記ボルト挿通部を通して侵入する雨水を受けて前記設置物支持部材の横外方に排出するように構成してある設置物固定具。
【請求項３】
前記連結用ボルトを取り付け位置調整自在な形状に前記ボルト挿通部を形成してある請求項１または２に記載の設置物固定具。
【請求項４】
前記ボルト挿通部を長孔から形成すると共に、その長孔の長手方向を、前記連結用ボルトの位置調整方向に沿わせて配設し、前記ボルト挿通部の下側に、連結用ボルトの回り止め部を設けてある請求項３に記載の設置物固定具。  
【発明の詳細な説明】
【技術分野】
【０００１】
本発明は、設備機器などの設置物を、例えば建物のコンクリート床等に設置して固定するための設置物固定具に関する。
【背景技術】
【０００２】
従来、前記設置物固定具は、図１１に示すように、上部に開口部４を形成する有底筒状の下地側支持部材５に、横外側に延出するフランジ部１０を設けると共に、底部に取付下地２への固定部１２を備え、前記開口部４及び前記フランジ部１０を上方から覆う蓋状の設置物支持部材を設け、固定部１２に取付下地２に固定したアンカーボルト８を挿通させてナットＮで固定操作を行うための作業孔２２を、下地側支持部材５の横外側に設け、フランジ部１０と設置物支持部材の上面に、それらを連結するためのボルトの第２挿通孔２４を設けると共に、設置物支持部材の上面に設置物３を固定するためのボルト挿通部１７を設けてあった（例えば、特許文献１参照）。
【先行技術文献】
【特許文献】
【０００３】
【特許文献１】特開２００９−１６７７５４号公報
【発明の概要】
【発明が解決しようとする課題】
【０００４】
上述した従来の前記設置物固定具は、前記下地側支持部材５の横外側に形成した大きな作業孔２２からの雨水の浸入の虞や、設置物支持部材の上面に形成した第２挿通孔２４、及び、ボルト挿通部１７から下地側支持部材５内への雨水の侵入の虞があり、下地側支持部材５内へ雨水が侵入すると、固定部１２を通して下地に水が侵入して、建物内への漏水の原因になる危険性があり、厳重にシールする防水構造を考えなければならなかった。
【０００５】
従って、本発明の目的は、上記問題点を解消し、下地側支持部材内への雨水の浸入を防止し易い設置物固定具を提供するところにある。
【課題を解決するための手段】
【０００６】
本発明の第１の特徴構成は、上部に開口部を形成する有底筒状の下地側支持部材に、横外側に延出するフランジ部を設けると共に、底部に取付下地への固定部を備え、前記開口部及び前記フランジ部を上方から覆う蓋状の設置物支持部材を設け、前記フランジ部の外縁に下方に垂下する第１周壁部を連設して上下方向に沿った第１縦壁部を形成すると共に、前記フランジ部を前記設置物支持部材で上方から覆った状態で、前記第１周壁部の外側を囲繞する第２周壁部を前記設置物支持部材の外縁部に連設してその第２周壁部に上下方向に沿った第２縦壁部を形成し、前記第１縦壁部と前記第２縦壁部とに両支持部材連結ボルトに対する挿通孔を備えて、互いに連結自在な連結部を形成し、設置物に対する連結用ボルトの頭部を係入自在なボルト挿通部を前記設置物支持部材に設け、前記ボルト挿通部の下面に樋状の雨水誘導ガイド部を一体に設けると共に、前記雨水誘導ガイド部の排水側端部が、前記第２周壁部に形成した排水口に接続して、前記雨水誘導ガイド部によって、前記ボルト挿通部を通して侵入する雨水を受けて前記設置物支持部材の横外方に排出するように設けたところにある。
【０００７】
本発明の第１の特徴構成によれば、固定部にアンカーボルトなどを介して取付下地に固定する作業を、下地側支持部材を上部の開口部を通して行った後には、開口部及びフランジ部を、設置物支持部材により蓋として覆わせることにより、開口部は閉じられる。
設置物支持部材により開口部を閉じる際に、前記フランジ部の外縁に下方に垂下する第１周壁部を連設すると共に、前記フランジ部を前記設置物支持部材で上方から覆った状態で、前記第１周壁部の外側を囲繞する第２周壁部を前記設置物支持部材の外縁部に連設し、前記第１周壁部と前記第２周壁部とに互いに連結自在な連結部を設けてあることにより、開口部よりも外方で、且つ、フランジ部の外縁よりも低い位置で、設置物支持部材と下地側支持部材とを連結でき、そのために、連結部から雨水が下地側支持部材内に侵入することは無い。
そして、設備機器などの設置物を設置物支持部材に固定するために、連結用ボルトをボルト挿通部に通して係止することで、その連結用ボルトを介して設置物は設置物支持部材に簡単に固定できる。
その上、前記ボルト挿通部の下側にそのボルト挿通部を通して侵入する雨水を受けて前記設置物支持部材の横外方に排出する雨水誘導ガイド部を設けてあることにより、雨水は下地側支持部材内に侵入せずに確実に設置物支持部材の横外方に排出される。
結局、建物内への漏水の原因をなくすことができるようになった。
【０００８】
【０００９】
設置物支持部材と下地側支持部材の連結を、前記第１縦壁部と前記第２縦壁部に設けた連結部により行えることにより、連結部で連結するボルトを伝って侵入しようとする雨水は、下地側支持部材の開口部よりも外側で、第１、第２縦壁部に沿って確実に下方に流れ、下地側支持部材内への水の浸入を、より確実に防ぐことができるようになった。
【００１０】
本発明の第２の特徴構成は、上部に開口部を形成する有底筒状の下地側支持部材を設けると共に、前記開口部を上方から覆う蓋状の設置物支持部材を設け、前記下地側支持部材の横外側の第１縦壁部において前記開口部よりも低い位置に周方向にわたって延出するフランジ部を設けると共に、前記下地側支持部材の底部に取付下地への固定部を備え、前記開口部及び前記第１縦壁部を前記設置物支持部材で上方から覆った状態で、前記フランジ部と連結自在な連結部を、前記設置物支持部材の外周部における第２縦壁部に連設する第２横壁部に設け、設置物に対する連結用ボルトの頭部を係入自在なボルト挿通部を前記設置物支持部材に設け、前記ボルト挿通部の下面に樋状の雨水誘導ガイド部を一体に設けると共に、前記雨水誘導ガイド部の排水側端部が、前記設置物支持部材の前記第２縦壁部に形成した排水口に接続して、前記雨水誘導ガイド部によって、前記ボルト挿通部を通して侵入する雨水を受けて前記設置物支持部材の横外方に排出するように構成したところにある。
【００１１】
本発明の第２の特徴構成によれば、下地側支持部材と連結する設置物支持部材の連結部を、開口部よりも低い位置に延出したフランジ部と連結させることにより、その連結部から侵入する雨水が開口部内に入ることはなく、しかも、ボルト挿通部を通して侵入する雨水は、雨水誘導ガイド部により設置物支持部材の横外方に排出される。従って、下地側支持部材内への雨水の侵入を防止して、建物内への漏水の原因をなくすことができるようになった。
【００１２】
本発明の第３の特徴構成は、前記連結用ボルトを取り付け位置調整自在な形状に前記ボルト挿通部を形成してあるところにある。
【００１３】
本発明の第３の特徴構成によれば、前記連結用ボルトを取り付け位置調整自在な形状に前記ボルト挿通部を形成してあることにより、設置物支持部材に対する設置物の相対的な固定位置を調整できる。
【００１４】
本発明の第４の特徴構成は、前記ボルト挿通部を長孔から形成すると共に、その長孔の長手方向を、前記連結用ボルトの位置調整方向に沿わせて配設し、前記ボルト挿通部の下側に、連結用ボルトの回り止め部を設けてあるところにある。
【００１５】
本発明の第４の特徴構成によれば、長孔から形成したボルト挿通孔に連結用ボルトを挿通させることで、長孔の長手方向に沿ってボルト固定位置を調整して、設置物支持部材に対する設置物３の相対的な固定位置を調整でき、そのうえ、ボルト挿通部の下側で回り止め部により連結用ボルトは回り止めされるために、設置物支持部材の上方からナットを締め込み操作するだけで簡単に設置物の固定操作ができる。
【図面の簡単な説明】
【００１６】
【図１】設置状態を示す全体図である。
【図２】分解斜視図である。
【図３】下方からの分解斜視図である。
【図４】縦断側面図である。
【図５】要部斜視図である。
【図６】要部縦断側面図である。
【図７】別実施形態の分解斜視図である。
【図８】別実施形態の要部縦断面図である。
【図９】別実施形態の要部縦断面図である。
【図１０】別実施形態の斜視図である。
【図１１】従来例の縦断面図である。
【発明を実施するための形態】
【００１７】
以下に本発明の実施の形態を、図１〜図６に基づいて説明する。
図１に示すように、本発明の設置物固定具の一実施形態品（以後、単に固定台１という）を使用して、屋上のコンクリート床やベランダ等の建築物（取付下地２の一例）の上に、ソーラーパネルの固定枠や、アンテナの支柱等の設置物３を固定してある状況を示している。
【００１８】
前記コンクリート床２の上には、防水シート６が敷設してある。
当該実施形態においては、コンクリート床２の全域に防水シート６が敷設してある状態で、その上に、金属製の当該固定台１を設置して、設置物３を固定台１に固定してある例を示している。従って、固定台１を設置した後、その周囲に、図４に示すように、防水シート６と固定台１の外周部にわたる状態に立上り防水層７を設置し、その上端部をバンド２９で縛ると共に、シール剤３０を塗布して雨水の浸入を防止し、固定台設置部分から下方への漏水防止を図っている。
コンクリート床２における固定台設置箇所には、予め、アンカーボルト８が設置してあり、このアンカーボルト８に固定台１が固定されている。
【００１９】
前記固定台１は、上部に開口部４を形成する有底筒状の下地側支持部材５と、開口部４を上から覆う蓋状の設置物支持部材９とから構成してある。
前記下地側支持部材５の開口部４上縁には、横外側に延出するフランジ部１０を設け、有底筒状の底部には、取付下地２に取り付けたアンカーボルト８を挿通する第１挿通孔１１を形成して、取付下地２に対する固定部１２を構成し、フランジ部１０の外縁に下方に垂下する第１周壁部１３を連設すると共に、開口部４及びフランジ部１０を設置物支持部材９で上方から覆った状態で、第１周壁部１３の外側を囲繞する第２周壁部１４を設置物支持部材９の外縁部から下方に連設し、第１周壁部１３と第２周壁部１４とに互いに連結自在な連結部１５を設け、設置物３に対する連結用ボルト１６の頭部を係入自在な長孔状のボルト挿通部１７を設置物支持部材９に設け、ボルト挿通部１７の下側にそのボルト挿通部１７を通して侵入する雨水を受けて設置物支持部材９の横外方に排出する樋状の雨水誘導ガイド部１８を設けてある。つまり、雨水誘導ガイド部１８の排水側端部が、設置物支持部材９の第２周壁部１４に形成した排水口１９に接続してある。
【００２０】
前記ボルト挿通部１７の長手方向を、設置物支持部材９の対角線上に沿わせて４箇所に夫々配置して、連結用ボルト１６の位置調整方向を、対角線上で変位可能にし、各種異なる設置物３の設置プレート２０の寸法に対応可能にしてある（図２、図３）。
【００２１】
前記長孔状のボルト挿通部１７は、大部分が連結用ボルト１６の頭部外径よりは小さく、且つ、軸部より少し大きい幅に形成してあると共に、その端部には、連結用ボルト１６の頭部が上方から挿通可能な大きさのボルト頭挿通孔部１７Ａを連設してあり、ボルト頭をボルト頭挿通孔部１７Ａから挿通させた後に、その長孔内に沿って移動させることにより、連結用ボルト１６はボルト挿通部１７に係止されて抜け止めされるように構成してある。
尚、ボルト挿通部１７の下側には、ロッドを溶接して連結用ボルト１６の回り止め部２１を形成してあり、連結用ボルト１６をボルト挿通部１７に挿通させた後には、ナットＮを工具で回転操作するだけで、設置物３を固定台１に固定できる（図４〜図６）。
【００２２】
第１周壁部１３に上下方向に沿った第１縦壁部１３Ａを形成すると共に、第２周壁部１４に上下方向に沿った第２縦壁部１４Ａを形成し、第１縦壁部１３Ａと第２縦壁部１４Ａに両支持部材連結ボルト２３に対する第２挿通孔２４を備えた連結部１５を配設してある。
【００２３】
〔別実施形態〕
以下に他の実施の形態を説明する。
〈１〉  前記ボルト挿通部１７は、長孔状以外に、スリット状であっても良く、また、連結用ボルト１６の取り付け位置の調整が不要であるならば、単にボルト頭が係止する大きさの丸孔形状であっても良い。
〈２〉  前記複数のボルト挿通部１７が長孔の場合、その長手方向を、設置物支持部材９の対角線上に配置する以外に、図７に示すように、平行線上に配置してあってもよい。
〈３〉  図３に示すように、前記フランジ部１０を補強するために、そのフランジ部１０の下面にリブ２５を設けても良く、また、開口部４を補強するために、図７に示すように、フランジ部１０を設置物支持部材９の全周に連続して形成しても良い。
〈４〉  前記第１周壁部１３と第２周壁部１４の形状は、第１縦壁部１３Ａと第２縦壁部１４Ａを形成するだけの形状以外に、図７、図８に示すように、第１縦壁部１３Ａや第２縦壁部１４Ａの下端縁部に連接する鍔状の第１、第２横壁部１３Ｂ、１４Ｂを設け、それらの第１、第２横壁部１３Ｂ、１４Ｂに連結部１５を配設してあっても良い。
〈５〉  前記フランジ部１０を、図９に示すように、下地側支持部材５の横外側で開口部４よりも低い位置に周方向にわたって横に延出して鍔状に形成しても良く、開口部４を設置物支持部材９で上方から覆った状態で、前記フランジ部１０に連結自在な連結部１５を、設置物支持部材９の外周部に連設してあっても良い。
〈６〉  前記雨水誘導ガイド部１８を、前記設置物支持部材９におけるボルト挿通部１７の下面に溶接付けして一体にする以外に、プレス成形により設置物支持部材９に一体形成して樋状に成形してあっても良い。
〈７〉  前記雨水誘導ガイド部１８を、樋状に形成したが、ボルト挿通部１７の下方で、そのボルト挿通部１７を通して侵入する雨水を受けて設置物支持部材９の横外方に排出する物であれば、形状は問わない。例えば、図１０に示すように、設置物支持部材９の内側で、且つ、ボルト挿通部１７の下方の全面に内側屋根板１８Ａを形成し、且つ、第２縦壁部１４Ａで内側屋根板１８Ａの上側に排水口１９を形成することにより、雨水誘導ガイド部を形成して、ボルト挿通部１７を通して侵入する雨水を受けて設置物支持部材９の横外方に排出できるように構成してある。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２４】
２      取付下地
３      設置物
４      開口部
５      下地側支持部材
９      設置物支持部材
１０    フランジ部
１２    固定部
１３    第１周壁部
１４    第２周壁部
１５    連結部
１６    連結用ボルト
１７    ボルト挿通部
１８    雨水誘導ガイド部
１３Ａ  第１縦壁部
１４Ａ  第２縦壁部
【図１】
0005859291.tif 000002
【図２】
0005859291.tif 000003
【図３】
0005859291.tif 000004
【図４】
0005859291.tif 000005
【図５】
0005859291.tif 000006
【図６】
0005859291.tif 000007
【図７】
0005859291.tif 000008
【図８】
0005859291.tif 000009
【図９】
0005859291.tif 000010
【図１０】
0005859291.tif 000011
【図１１】
0005859291.tif 000012